(57)【特許請求の範囲】
【請求項１】
コンテンツを視聴するためのコンテンツ視聴装置と、前記コンテンツの視聴に対して承認を行う権限を有する視聴承認者が承認処理を行うために用いられる、移動可能な通信装置である視聴承認装置と、前記コンテンツ視聴装置及び前記視聴承認装置のネットワーク上の位置情報を管理するロケーションサーバとを備えるコンテンツ視聴システムであって、
前記コンテンツ視聴装置は、
視聴を要求されたコンテンツの視聴に対する承認が必要と判断された場合に、前記視聴承認装置に視聴承認要求を送信する視聴承認要求部と、
前記視聴承認装置から前記視聴承認要求に対する承認結果を受信し、前記コンテンツの視聴が承認された場合に前記コンテンツを視聴可能にするコンテンツ視聴制御部と、
を含み、
前記視聴承認装置は、
前記コンテンツ視聴装置から受信した前記視聴承認要求についての情報を出力する出力部と、
前記視聴承認要求に対する承認結果が入力される入力部と、
前記入力部より入力された承認結果を前記コンテンツ視聴装置に通知する承認結果通知部と、
を含み，
前記視聴承認装置は、前記視聴承認装置の現在位置を示す情報を前記コンテンツ視聴装置に通知する承認者状態通知部をさらに含み、
前記コンテンツ視聴装置の前記視聴承認要求部は、前記視聴承認装置の現在位置を示す情報に基づいて前記視聴承認要求を送信するか否かを決定し、
前記ロケーションサーバは、前記視聴承認装置のネットワーク上の位置情報を取得し、前記コンテンツ視聴装置から受信した前記視聴承認要求を前記視聴承認装置に転送し、
前記コンテンツ視聴装置のネットワーク上の位置情報を取得し、前記視聴承認装置から受信した前記承認結果を前記コンテンツ視聴装置に転送することを特徴とする、コンテンツ視聴システム。
【請求項２】
コンテンツを視聴するためのコンテンツ視聴装置と、前記コンテンツの視聴に対して承認を行う権限を有する視聴承認者が承認処理を行うために用いられる、移動可能な通信装置である視聴承認装置と、前記コンテンツ視聴装置及び前記視聴承認装置のネットワーク上の位置情報を管理するロケーションサーバとを備えるコンテンツ視聴システムであって、
前記コンテンツ視聴装置は、
視聴を要求されたコンテンツの視聴に対する承認が必要と判断された場合に、前記視聴承認装置に視聴承認要求を送信する視聴承認要求部と、
前記視聴承認装置から前記視聴承認要求に対する承認結果を受信し、前記コンテンツの視聴が承認された場合に前記コンテンツを視聴可能にするコンテンツ視聴制御部と、
を含み、
前記視聴承認装置は、
前記コンテンツ視聴装置から受信した前記視聴承認要求についての情報を出力する出力部と、
前記視聴承認要求に対する承認結果が入力される入力部と、
前記入力部より入力された承認結果を前記コンテンツ視聴装置に通知する承認結果通知部と、
を含み，
前記視聴承認装置は、前記視聴承認装置の現在位置に基づいて前記視聴承認者に対する視聴承認要求が必要であるか否かの状態を表す承認者状態を判断し、前記承認者状態を前記コンテンツ視聴装置に通知する承認者状態通知部をさらに含み、
前記コンテンツ視聴装置は、前記承認者状態を前記視聴承認装置から取得する承認者状態取得部をさらに含み、
前記コンテンツ視聴装置の前記視聴承認要求部は、前記承認者状態に基づいて前記視聴承認要求を送信するか否かを決定し、
前記ロケーションサーバは、前記視聴承認装置のネットワーク上の位置情報を取得し、前記コンテンツ視聴装置から受信した前記視聴承認要求を前記視聴承認装置に転送し、
前記コンテンツ視聴装置のネットワーク上の位置情報を取得し、前記視聴承認装置から受信した前記承認結果を前記コンテンツ視聴装置に転送することを特徴とする、コンテンツ視聴システム。
【請求項３】
前記視聴承認装置は、前記視聴承認要求を受信した場合に、前記コンテンツ視聴装置との間で音声通信を行うためのセッション開始要求を前記コンテンツ視聴装置に送信する音声通信制御部をさらに含むことを特徴とする、請求項１に記載のコンテンツ視聴システム。
【請求項４】
コンテンツを視聴するためのコンテンツ視聴装置と、前記コンテンツの視聴に対して承認を行う権限を有する視聴承認者が承認処理を行うために用いられる、移動可能な通信装置である視聴承認装置と、前記コンテンツ視聴装置と前記視聴承認装置との間でコンテンツの視聴承認処理を仲介する視聴承認仲介サーバとを備えるコンテンツ視聴システムであって、
前記コンテンツ視聴装置は、
視聴を要求されたコンテンツの視聴に対する承認が必要と判断された場合に、前記視聴承認装置に視聴承認要求を送信する視聴承認要求部と、
前記視聴承認装置から前記視聴承認要求に対する承認結果を受信し、前記コンテンツの視聴が承認された場合に前記コンテンツを視聴可能にするコンテンツ視聴制御部と、
を含み、
前記視聴承認装置は、
前記コンテンツ視聴装置から受信した前記視聴承認要求についての情報を出力する出力部と、
前記視聴承認要求に対する承認結果が入力される入力部と、
前記入力部より入力された承認結果を前記コンテンツ視聴装置に通知する承認結果通知部と、
を含み，
前記視聴承認装置は、前記視聴承認装置の現在位置を示す情報を前記コンテンツ視聴装置に通知する承認者状態通知部をさらに含み、
前記コンテンツ視聴装置の前記視聴承認要求部は、前記視聴承認装置の現在位置を示す情報に基づいて前記視聴承認要求を送信するか否かを決定し、
前記視聴承認仲介サーバは、前記コンテンツ視聴装置から送信された前記視聴承認要求を受信すると、前記視聴承認を行うために提供されるウェブサイトへのアクセス先を前記視聴承認装置に通知し、
前記視聴承認装置は、前記アクセス先を用いて前記ウェブサイトにアクセスすることによって視聴承認処理を実行し承認結果を前記視聴承認仲介サーバに送信することを特徴とする、コンテンツ視聴システム。
【請求項５】
前記視聴承認仲介サーバは、前記視聴承認装置において所定のコンテンツの視聴に対する承認が行われた場合に、当該コンテンツの提供元に対し視聴承認が行われたことを通知することを特徴とする、請求項４に記載のコンテンツ視聴システム。
【請求項６】
前記視聴承認仲介サーバは、前記視聴承認装置において所定のコンテンツの視聴に対する承認が行われた場合に、当該コンテンツの視聴を可能にするための秘密情報を前記コンテンツ視聴装置に送信することを特徴とする、請求項４に記載のコンテンツ視聴システム。
【請求項７】
コンテンツを視聴するためのコンテンツ視聴装置であって、
視聴を要求されたコンテンツの視聴に対する承認が必要と判断された場合に、前記コンテンツの視聴に対して承認を行う権限を有する視聴承認者が承認処理を行うために用いられる移動可能な通信装置である視聴承認装置に視聴承認要求を送信する視聴承認要求部と、
前記視聴承認装置から前記視聴承認要求に対する承認結果を受信し、前記コンテンツの視聴が承認された場合に前記コンテンツを視聴可能にするコンテンツ視聴制御部と、
を備え、
前記視聴承認要求部は、前記視聴承認装置から前記視聴承認装置の現在位置を示す情報を受信し、前記視聴承認装置の現在位置を示す情報に基づいて前記視聴承認要求を送信するか否かを決定することを特徴とする、コンテンツ視聴装置。
【請求項８】
コンテンツを視聴するためのコンテンツ視聴装置であって、
視聴を要求されたコンテンツの視聴に対する承認が必要と判断された場合に、前記コンテンツの視聴に対して承認を行う権限を有する視聴承認者が承認処理を行うために用いられる移動可能な通信装置である視聴承認装置に視聴承認要求を送信する視聴承認要求部と、
前記視聴承認装置から前記視聴承認要求に対する承認結果を受信し、前記コンテンツの視聴が承認された場合に前記コンテンツを視聴可能にするコンテンツ視聴制御部と、
を備え、
前記視聴承認者に対する視聴承認要求が必要であるか否かの状態を表す承認者状態を前記視聴承認装置から取得する承認者状態取得部をさらに備え、
前記視聴承認要求部は、前記取得した承認者状態に基づいて前記視聴承認要求を送信するか否かを決定することを特徴とする、コンテンツ視聴装置。
【請求項９】
前記視聴承認装置から音声通信のセッション開始要求を受信し、前記視聴承認装置との間で行う音声通信を制御する音声通信制御部をさらに備えることを特徴とする、請求項７に記載のコンテンツ視聴装置。
【請求項１０】
コンテンツの視聴に対して承認を行う権限を有する視聴承認者が承認処理を行うために用いられる、移動可能な通信装置である視聴承認装置であって、
コンテンツの視聴に用いられるコンテンツ視聴装置から受信した、所定のコンテンツの視聴に対する視聴承認要求についての情報を出力する出力部と、
前記視聴承認要求に対する承認結果が入力される入力部と、
前記入力部より入力された承認結果を前記コンテンツ視聴装置に通知する承認結果通知部と、
を備え、
前記視聴承認装置の現在位置を前記コンテンツ視聴装置に通知する承認者状態通知部をさらに備えることを特徴とする、視聴承認装置。
【請求項１１】
コンテンツの視聴に対して承認を行う権限を有する視聴承認者が承認処理を行うために用いられる、移動可能な通信装置である視聴承認装置であって、
コンテンツの視聴に用いられるコンテンツ視聴装置から受信した、所定のコンテンツの視聴に対する視聴承認要求についての情報を出力する出力部と、
前記視聴承認要求に対する承認結果が入力される入力部と、
前記入力部より入力された承認結果を前記コンテンツ視聴装置に通知する承認結果通知部と、
を備え、
前記視聴承認装置の現在位置に基づいて、前記視聴承認者に対する視聴承認要求が必要であるか否かの状態を表す承認者状態を判断し、前記承認者状態を前記コンテンツ視聴装置に通知する承認者状態通知部をさらに備えることを特徴とする、視聴承認装置。
【請求項１２】
前記視聴承認要求を受信した場合に、前記コンテンツ視聴装置との間で音声通信を行うためのセッション開始要求を前記コンテンツ視聴装置に送信する音声通信制御部をさらに備えることを特徴とする、請求項１０に記載の視聴承認装置。
【発明の詳細な説明】
【技術分野】
【０００１】
本発明は、コンテンツ視聴システム、コンテンツ視聴装置及び視聴承認装置に関し、特に、コンテンツ視聴に対するペアレンタルコントロールを行うことが可能なコンテンツ視聴システム、コンテンツ視聴装置及び視聴承認装置に関する。
【背景技術】
【０００２】
近年、子供に有害なテレビジョン番組やＷｅｂサイト等を見せないようにするためのペアレンタルコントロール機能を搭載したテレビジョン受像機やパーソナルコンピュータ用のソフトウェア製品等が普及している。
【０００３】
ペアレンタルコントロール機能は、有害コンテンツとして予め指定された番組やＷｅｂサイト等へのアクセスを規制する機能で、例えば、パスワードやアクセス時間帯等によりコンテンツへのアクセス制限を行うもの等がある。例えば、特許文献１には、各番組毎に設定されたペアレンタルコントロールの等級に従って、番組の視聴を許可または禁止する設定を行うことが可能なＣＡＴＶ端末装置及びＣＡＴＶシステムが開示されている。
【０００４】
また、特許文献２には、カメラによる顔識別や指紋認識、音声認識等のユーザ認識手段によってユーザ識別を行い、各ユーザ及び番組データ毎に設定された視聴制限に関する情報からペアレンタルロックすべきかどうかを選局要求時に判断し、自動的にペアレンタルロックをかけることが可能なテレビジョン受像機が開示されている。
【０００５】
【特許文献１】特開平０５−１２２６９４号公報
【特許文献２】特開２０００−１７５１１７号公報
【発明の開示】
【発明が解決しようとする課題】
【０００６】
特許文献１及び２に記載されたペアレンタルコントロール機能の場合、ユーザ毎に予め有害コンテンツや有料コンテンツの視聴許可を設定することはできるが、コンテンツを視聴する子供等の視聴要求者が番組の選択操作を行う度に、保護者等の視聴承認者がそのコンテンツの視聴を許可するか否かを判断することはできない。
【０００７】
また、視聴要求者がコンテンツの選択操作を行う度に、自動的に視聴承認者への確認を行うようにした場合、視聴承認者が視聴要求者とともに視聴端末の前にいるときであっても確認処理が発生して煩わしい。このような場合に、確認が必要ないときに視聴承認者が設定を解除し、確認が必要なときに再設定するようにすることも考えられるが、視聴承認者にとって煩雑な作業が発生する。
【０００８】
そこで、本発明は、上記問題に鑑みてなされたものであり、本発明の目的とするところは、視聴要求者が所定のコンテンツに対する視聴要求を行った場合に、離れた場所にいる視聴承認者によるペアレンタルコントロールを効率的に行うことが可能な、新規かつ改良されたコンテンツ視聴システム、コンテンツ視聴装置及び視聴承認端末を提供することにある。
【課題を解決するための手段】
【０００９】
上記課題を解決するために、本発明のある観点によれば、コンテンツを視聴するためのコンテンツ視聴装置と、コンテンツの視聴に対して承認を行う権限を有する承認者が承認処理を行うために用いられる、移動可能な通信装置である視聴承認装置とを備えるコンテンツ視聴システムであって、コンテンツ視聴装置は、視聴を要求されたコンテンツの視聴に対する承認が必要と判断された場合に、視聴承認装置に視聴承認要求を送信する視聴承認要求部と、視聴承認装置から視聴承認要求に対する承認結果を受信し、コンテンツの視聴が承認された場合にコンテンツを視聴可能にするコンテンツ視聴制御部と、を含み、視聴承認装置は、コンテンツ視聴装置から送信された視聴承認要求を受信し、視聴承認要求についての情報を出力する出力部と、視聴承認要求に対する承認結果が入力される入力部と、入力部より入力された承認結果をコンテンツ視聴装置に通知する承認結果通知部と、を含むコンテンツ視聴システムが提供される。
【００１０】
かかる構成によれば、未成年者等（視聴要求者）が有害コンテンツや有料コンテンツに対して視聴要求を行った場合に、離れた場所にいる保護者等（視聴承認者）がその視聴要求に対し視聴の許可／拒否を選択することができ、視聴要求が行われる毎に承認を行うことが可能となる。
【００１１】
また、コンテンツ視聴装置は、視聴承認者に対する視聴承認要求が必要であるか否かの状態を表す承認者状態を視聴承認装置から取得する承認者状態取得部をさらに含み、視聴承認装置は、視聴承認装置の現在位置に基づいて承認者状態を判断し、承認者状態をコンテンツ視聴装置に通知する承認者状態通知部をさらに含み、コンテンツ視聴装置の視聴承認要求部は、承認者状態に基づいて視聴承認要求を送信するか否かを決定するようにしてもよい。これにより、視聴承認者が携帯する視聴承認装置の位置から視聴承認者の位置を確認することができ、視聴承認者が視聴要求者とともにコンテンツ視聴装置の前にいるような場合には、視聴承認要求を送信しないようにすることができる。
【００１２】
また、視聴承認装置の承認者状態通知部は、視聴承認装置の現在位置が予め定められた範囲内にあるときは、承認者に対する視聴承認要求が不要であると判断するようにしてもよい。例えば、視聴承認装置は、ＧＰＳによって取得された自分の現在位置が、コンテンツ視聴装置が設置された自宅から所定の距離にある場合は、視聴承認要求が不要であると判断し、コンテンツ視聴装置にその旨を通知するようにしてもよい。
【００１３】
あるいは、視聴承認装置の承認者状態通知部は、視聴承認装置の現在位置を示す情報をコンテンツ視聴装置に通知し、コンテンツ視聴装置の視聴承認要求部は、視聴承認装置の現在位置を示す情報に基づいて視聴承認要求を送信するか否かを決定するようにしてもよい。
【００１４】
また、視聴承認装置は、視聴承認要求を受信した場合に、コンテンツ視聴装置との間で音声通信を行うためのセッション開始要求をコンテンツ視聴装置に送信する音声通信制御部をさらに含むようにしてもよい。これにより、視聴承認要求を受信した視聴承認装置からコンテンツ視聴装置に対して電話を掛けることができ、視聴承認者が視聴要求者と直接会話をすることが可能となる。
【００１５】
また、コンテンツ視聴装置及び視聴承認装置のネットワーク上の位置情報を管理するロケーションサーバをさらに備え、ロケーションサーバは、視聴承認装置のネットワーク上の位置情報を取得し、コンテンツ視聴装置から受信した視聴承認要求を視聴承認装置に転送し、コンテンツ視聴装置のネットワーク上の位置情報を取得し、視聴承認装置から受信した承認結果をコンテンツ視聴装置に転送するようにしてもよい。これにより、コンテンツ視聴装置は、移動する視聴承認装置のネットワーク上の位置を常に把握することができ、通信を行うことができる。
【００１６】
また、コンテンツ視聴装置と視聴承認装置との間でコンテンツの視聴承認処理を仲介する視聴承認仲介サーバをさらに備え、視聴承認仲介サーバは、コンテンツ視聴装置から送信された視聴承認要求を受信すると、視聴承認を行うために提供されるウェブサイトへのアクセス先を視聴承認装置に通知し、視聴承認装置は、アクセス先を用いてウェブサイトにアクセスすることによって視聴承認処理を実行し承認結果を視聴承認仲介サーバに送信するようにしてもよい。
【００１７】
また、視聴承認仲介サーバは、視聴承認装置において所定のコンテンツの視聴に対する承認が行われた場合に、当該コンテンツの提供元に対し視聴承認が行われたことを通知するようにしてもよい。これにより、コンテンツに対する視聴要求についての視聴承認が行われたか否かをコンテンツ提供元で把握することができ、視聴承認が行われた視聴要求に対してのみコンテンツを提供することができる。また、コンテンツ視聴装置側では、視聴承認に関する判断等を行う必要がなくなる。
【００１８】
また、視聴承認仲介サーバは、視聴承認装置において所定のコンテンツの視聴に対する承認が行われた場合に、当該コンテンツの視聴を可能にするための秘密情報をコンテンツ視聴装置に送信するようにしてもよい。これにより、コンテンツ視聴装置がネットワークを介してコンテンツ提供サーバからコンテンツの提供を受ける場合だけでなく、コンテンツ提供サーバからダウンロードしてローカルに保存されているコンテンツの視聴を行う場合にも適用できる。
【００１９】
また、上記課題を解決するために、本発明の別の観点によれば、コンテンツを視聴するためのコンテンツ視聴装置であって、視聴を要求されたコンテンツの視聴に対する承認が必要と判断された場合に、コンテンツの視聴に対して承認を行う権限を有する承認者が承認処理を行うために用いられる移動可能な通信装置である視聴承認装置に視聴承認要求を送信する視聴承認要求部と、視聴承認装置から視聴承認要求に対する承認結果を受信し、コンテンツの視聴が承認された場合にコンテンツを視聴可能にするコンテンツ視聴制御部と、を備えるコンテンツ視聴装置が提供される。
【００２０】
かかる構成によれば、未成年者等（視聴要求者）が有害コンテンツや有料コンテンツに対して視聴要求を行った場合に、離れた場所にいる保護者等（視聴承認者）にその視聴要求に対する視聴の許可を求めることが可能となる。
【００２１】
また、コンテンツ視聴装置は、承認者に対する視聴承認要求が必要であるか否かの状態を表す承認者状態を視聴承認装置から取得する承認者状態取得部をさらに備え、視聴承認要求部は、取得した承認者状態に基づいて視聴承認要求を送信するか否かを決定するようにしてもよい。
【００２２】
また、視聴承認要求部は、視聴承認装置から視聴承認装置の現在位置を示す情報を受信し、視聴承認装置の現在位置が予め定められた範囲内にあるときは、視聴承認要求を送信しないようにしてもよい。
【００２３】
また、視聴承認装置から音声通信のセッション開始要求を受信し、視聴承認装置との間で行う音声通信を制御する音声通信制御部をさらに備えるようにしてもよい。
【００２４】
また、上記課題を解決するために、本発明の別の観点によれば、コンテンツの視聴に対して承認を行う権限を有する承認者が承認処理を行うために用いられる、移動可能な通信装置である視聴承認装置であって、コンテンツの視聴に用いられるコンテンツ視聴装置から、所定のコンテンツの視聴に対する視聴承認要求を受信し、視聴承認要求についての情報を出力する出力部と、視聴承認要求に対する承認結果が入力される入力部と、入力部より入力された承認結果をコンテンツ視聴装置に通知する承認結果通知部と、を備える視聴承認装置が提供される。
【００２５】
かかる構成によれば、未成年者等（視聴要求者）が有害コンテンツや有料コンテンツに対して視聴要求を行った場合に、離れた場所にいる保護者等（視聴承認者）がその視聴要求に対し視聴の許可／拒否を選択することができ、視聴要求が行われる毎に承認を行うことが可能となる。
【００２６】
また、視聴承認装置は、視聴承認装置の現在位置に基づいて、承認者に対する視聴承認要求が必要であるか否かの状態を表す承認者状態を判断し、承認者状態をコンテンツ視聴装置に通知する承認者状態通知部をさらに備えるようにしてもよい。
【００２７】
また、承認者状態通知部は、視聴承認装置の現在位置が予め定められた範囲内にあるときは、承認者に対する視聴承認要求が不要であると判断するようにしてもよい。
【００２８】
また、承認者状態通知部は、視聴承認装置の現在位置をコンテンツ視聴装置に通知するようにしてもよい。
【００２９】
また、視聴承認要求を受信した場合に、コンテンツ視聴装置との間で音声通信を行うためのセッション開始要求をコンテンツ視聴装置に送信する音声通信制御部をさらに備えるようにしてもよい。
【発明の効果】
【００３０】
以上説明したように本発明によれば、視聴要求者が所定のコンテンツに対する視聴要求を行った場合に、視聴要求者から離れた場所にいる視聴承認者が効率的に承認処理を行うことが可能となる。
【発明を実施するための最良の形態】
【００３１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００３２】
（第１の実施形態）
まず、図１及び図２を参照して、本発明の第１の実施形態に係るコンテンツ視聴システムについて説明する。図１は、本発明の第１の実施形態に係るコンテンツ視聴システム１０の概略構成を示すブロック図であり、図２は、コンテンツ視聴装置１００及び視聴承認装置１２０の概略構成を示すブロック図である。
【００３３】
第１の実施形態にかかるコンテンツ視聴システム１０は、コンテンツの視聴に用いられるコンテンツ視聴装置１００においてペアレンタルコントロールを行うためのシステムである。本実施形態に係るコンテンツ視聴システム１０は、図１に示すように、コンテンツ視聴装置１００、視聴承認装置１２０及びロケーションサーバ１４０を含み構成される。
【００３４】
本実施形態に係るコンテンツ視聴システム１０は、コンテンツ視聴装置１００において有害コンテンツに指定されたコンテンツや有料コンテンツを視聴する際に、視聴承認装置１２０に対して視聴承認要求を送信し、視聴承認装置１２０において承認処理が行われることによってコンテンツの視聴を可能にすることを特徴とする。
【００３５】
なお、以下では、コンテンツ視聴装置１００を操作してコンテンツを視聴しようとする人を、視聴要求者（図１の視聴要求者１）と称し、視聴承認装置１２０を操作して視聴要求者のコンテンツ視聴に対する視聴承認処理を行う人を視聴承認者（図１の視聴承認者２）と称する。視聴要求者は、例えば、特定のコンテンツを視聴するために視聴承認者の許可を必要とする未成年者等であり、視聴承認者は、例えば、視聴要求者である未成年者の保護者等で、視聴要求者のコンテンツ視聴に対し視聴許可を与える権限を有する。
【００３６】
また、本実施形態にかかるコンテンツ視聴システム１０において、コンテンツ視聴装置１００、視聴承認装置１２０及びロケーションサーバ１４０は、それぞれ次世代ネットワーク（ＮＧＮ）１２に接続され、セッション開始プロトコル（Session Initiation Protocol；ＳＩＰ）を用いて互いに通信を行う。
【００３７】
コンテンツ視聴装置１００及び視聴承認装置１２０は、ロケーションサーバ１４０を介してＳＩＰメッセージを交換する。ロケーションサーバ１４０は、コンテンツ視聴装置１００及び視聴承認装置１２０の情報、特にネットワーク上の位置情報を管理し、コンテンツ視聴装置１００から視聴承認装置１２０へのＳＩＰメッセージを受信したときに、視聴承認装置１２０のネットワーク上の位置情報（ＩＰアドレス等）を問い合わせ、位置情報を用いてＳＩＰメッセージを視聴承認装置１２０に転送する。
【００３８】
以下、図１及び図２を参照して、各装置の構成について説明する。
【００３９】
（コンテンツ視聴装置１００）
コンテンツ視聴装置１００は、コンテンツ提供サーバ１８に対して音楽や映像等の各種のコンテンツを要求し、ディスプレイやスピーカ等によりコンテンツを出力する機能を備える装置であり、例えば、テレビジョン受像機やＤＶＤプレイヤー、パーソナルコンピュータ、家庭用ゲーム機等であってもよい。ここでは、コンテンツ視聴装置１００は、視聴者の自宅等に設置されるものを想定して説明するが、携帯電話やＰＤＡ（Ｐｅｒｓｏｎａｌ  Ｄｉｇｉｔａｌ  Ａｓｓｉｓｔａｎｔ）、ノート型パーソナルコンピュータ、携帯用ゲーム機、携帯用テレビジョン受像機等の携帯可能な情報処理装置であってもよい。
【００４０】
コンテンツ提供サーバ１８は、例えば、テレビジョン放送局の番組放送サーバや、映像コンテンツのマルチキャスト／ユニキャスト配信サービスを行うサービス事業者のコンテンツ配信サーバ等であり、コンテンツ視聴装置１００から送信される視聴要求に応答して要求されたコンテンツを送信する。
【００４１】
ここで、コンテンツとは、コンテンツ提供サーバ１８により提供されるデジタルデータで表現された文書や画像、音声、動画またはそれらを組み合わせた情報の集合であり、例えば、マルチキャスト／ユニキャスト配信されるテレビジョン番組や映画等の映像コンテンツ、インターネット上で提供されるＨＴＭＬ文書や画像、動画等のＷｅｂデータ等である。
【００４２】
なお、コンテンツ視聴装置１００において上記のようなコンテンツを視聴するための機能については、既存の技術を適用可能であるため、ここでは省略する。
【００４３】
コンテンツ視聴装置１００は、図２に示すように、コンテンツ視聴制御部１０１と、視聴承認要求部１０２と、承認者状態取得部１０３と、電話制御部１０４と、入力部１０５と、表示部１０６とにより構成される。以下、各部の構成について説明する。
【００４４】
（コンテンツ視聴制御部１０１）
コンテンツ視聴制御部１０１は、視聴要求者によってコンテンツに対する視聴を要求する操作が行われた場合に、そのコンテンツに対する視聴承認が必要であるか否かを判断し、それによってコンテンツの視聴を制御するための機能部である。視聴承認が必要であると判断した場合、コンテンツ視聴制御部１０１は、視聴承認要求部１０２にその旨を通知して視聴承認要求を発行させる。
【００４５】
コンテンツ視聴制御部１０１は、あるコンテンツに対して視聴要求が行われた場合に、その視聴に対する承認が必要であるか否かの判定を行う。判定は、例えば、視聴要求者の情報や、コンテンツのジャンルや視聴制限に関する情報等を用いて行われる。例えば、視聴要求者の年齢が１４歳である場合に、「１５歳以下の視聴には許可が必要」という情報が付加された番組に対する視聴要求が行われた場合には、視聴承認が必要と判断される。また、あるいは、特定の視聴要求者に対し「有料放送の視聴には許可が必要」という設定がされている場合、視聴承認が必要と判断される。
【００４６】
また、コンテンツ視聴制御部１０１は、視聴承認要求部１０２によって送信された視聴承認要求に対する応答として、視聴承認装置１２０から視聴承認処理が行われたか否かを示すＩＮＦＯメソッドを受け取る。コンテンツ視聴制御部１０１は、受信したＩＮＦＯメソッドにより通知された内容を解析し、視聴が許可された場合は、コンテンツ提供サーバ１８にコンテンツの送信要求を行う。
【００４７】
一方、視聴が許可されなかった場合、コンテンツ視聴制御部１０１は、表示部１０６に視聴が許可されなかった旨を通知するメッセージを表示させるようにしてもよい。
【００４８】
（視聴承認要求部１０２）
視聴承認要求部１０２は、コンテンツ視聴制御部１０１によって視聴承認が必要であると判断された場合に視聴承認装置１２０に対して視聴承認要求を発行するための機能部である。視聴承認要求部１０２は、予め、視聴承認要求の受信端末として登録された視聴承認装置１２０に視聴承認要求を送信する。視聴承認要求は、ＳＩＰのＮＯＴＩＦＹメソッドを用いて送信されてもよい。ＮＯＴＩＦＹメソッドにより通知される情報は、例えば、視聴要求を行った視聴要求者の情報や、コンテンツの名前や種類、視聴料金等のコンテンツに関する情報、視聴承認要求を送信したコンテンツ視聴端末に関する情報等である。
【００４９】
あるいは、視聴承認要求部１０２は、ディスプレイ等の表示部１０６に選択画面を表示させ、視聴承認装置１２０に視聴承認要求を送信するか否かを視聴者に選択させるようにしてもよい。ここで、入力部１０５から視聴承認要求を送信することが選択された場合、視聴承認要求部１０２は、視聴承認装置１２０に対し視聴承認要求を送信する。
【００５０】
また、視聴承認要求部１０２は、視聴承認装置１２０に視聴承認要求を送信する前に、承認者状態取得部１０３に対して問い合わせを行い、視聴承認を行う承認者の状態を確認するようにしてもよい。あるいは、承認者状態取得部１０３より予め通知される承認者の状態についての情報に従って、視聴承認装置１２０に視聴承認要求を送信しないようにしてもよい。承認者の状態確認処理の詳細については、以下で述べる。
【００５１】
（承認者状態取得部１０３）
承認者状態取得部１０３は、視聴承認装置１２０を携帯する視聴承認者２の現在の状態（承認者状態）を取得するための機能部である。ここで、視聴承認者２の現在の状態とは、現在、視聴承認者２が視聴承認装置１２０を用いて視聴承認処理を行う必要があるか否かの状態を指す。具体的には、例えば、視聴承認者２がコンテンツ視聴装置１００のある自宅の外にいる場合は、視聴承認処理を行う必要がある状態と判断され、視聴承認者２が帰宅して視聴要求者１とともにコンテンツ視聴装置１００の前にいる場合は、視聴承認処理を行う必要がない状態と判断されるようにしてもよい。
【００５２】
承認者状態は、主に、視聴承認装置１２０の位置情報によって判断されることができる。承認者状態取得部１０３は、視聴承認装置１２０から位置情報を取得し承認者状態（視聴承認装置１２０が自宅内にあるか否か）を判断するようにしてもよい。また、承認者状態は、視聴承認装置１２０によって視聴承認の要不要が判断されて承認者状態取得部１０３に通知されるようにしてもよく、あるいは、視聴承認者２によって視聴承認装置１２０に入力された情報が承認者状態取得部１０３に通知されるようにしてもよい。
【００５３】
また、承認者状態取得部１０３は、視聴承認装置１２０から位置情報または承認者状態が通知されるようにするために、例えば、予め視聴承認装置１２０にＳＵＢＳＣＲＩＢＥメソッドを送信する等して、視聴承認装置１２０に対し登録を行っておくようにしてもよい。これにより、承認者状態取得部１０３は、視聴承認装置１２０の状態が変更されたときに、随時変更後の情報を視聴承認装置１２０から受け取ることができるようになる。
【００５４】
（電話制御部１０４）
電話制御部１０４は、コンテンツ視聴装置１００と視聴承認装置１２０との間で電話による通信を行うための制御を行う機能部である。電話制御部１０４は、視聴承認装置１２０からの呼び出し要求（ＩＮＶＩＴＥメソッド）を受信し、呼び出し要求に応じて着信音を鳴らしたり、表示部１０６に着信中である旨のメッセージを表示する等して、視聴要求者１に電話着信中であることを通知する。コンテンツ視聴装置１００は、視聴要求者１が電話による通話を行うことができるようにハンドセット（図示せず）等が接続されるように構成される。視聴要求者１が呼び出しに対して応答すると、コンテンツ視聴装置１００と視聴承認装置１２０との間でセッションが確立され、通話を開始することが可能となる。
【００５５】
（入力部１０５）
入力部１０５は、コンテンツ視聴装置１００に備えられたボタンやスイッチ、マウス、キーボード、リモートコントローラ等の入力インタフェースが操作されたことを示す入力信号が入力される機能部である。入力部１０５は、入力された入力信号をコンテンツ視聴制御部１０１等に入力する。
【００５６】
（表示部１０６）
表示部１０６は、ディスプレイ等の出力装置であり、視聴するコンテンツの画像や、視聴要求者１に対して通知を行うためのメッセージ等が表示される。
【００５７】
以上、本実施形態にかかるコンテンツ視聴装置１００の構成について説明した。なお、コンテンツ視聴制御部１０１、視聴承認要求部１０２、承認者状態取得部１０３及び電話制御部１０４は、これらの各部の機能を実行するソフトウェアプログラムをコンテンツ視聴装置１００にインストールすることにより実現することも可能であるし、専用のハードウェアで実現することも可能である。また、上記ソフトウェアプログラムは、コンピュータ読み取り可能な記憶媒体に記憶されたものを読み出すことにより実行されてもよいし、あるいは、ネットワーク等を介してコンテンツ視聴装置１００に提供されるものであってもよい。
【００５８】
（視聴承認装置１２０）
視聴承認装置１２０は、コンテンツ視聴装置１００から送信される視聴承認要求に応じて、視聴承認者２が視聴可／不可を応答するために用いられる装置である。視聴承認装置１２０は、視聴承認者２が携帯して持ち歩くことが可能なように構成されており、例えば、携帯電話や携帯情報端末、ノート型パーソナルコンピュータ等の情報処理装置であってもよい。
【００５９】
本実施形態においては、視聴承認装置１２０は携帯電話であるものとし、視聴承認装置１２０は、携帯電話事業者により設置される基地局１４を経由してＮＧＮ１２に接続される。また、視聴承認装置１２０は、基地局１４またはＧＰＳ衛星１６から取得される情報により、自分の現在位置に関する情報を取得可能に構成される。
【００６０】
視聴承認装置１２０は、図２に示すように、視聴承認要求受付部１２１と、承認結果通知部１２２と、承認者状態通知部１２３と、電話制御部１２４と、表示部１２５と、入力部１２６とにより構成される。以下、各部の詳細について説明する。
【００６１】
（視聴承認要求受付部１２１）
視聴承認要求受付部１２１は、コンテンツ視聴装置１００から視聴承認要求を受信し、視聴承認者２に対して視聴承認要求があったことを通知するための機能部である。
【００６２】
視聴承認要求受付部１２１は、コンテンツ視聴装置１００から視聴承認要求を受信するために、コンテンツ視聴装置１００に対して予めＳＵＢＳＣＲＩＢＥメソッドを送信する等して自分の情報を登録する。これにより、コンテンツ視聴装置１００は、視聴承認要求を送信する必要が生じた場合に、該当する視聴承認者２が携帯する視聴承認装置１２０に対して視聴承認要求を送信することが可能となる。
【００６３】
コンテンツ視聴装置１００によって送信される視聴承認要求は、ＳＩＰのＮＯＴＩＦＹメソッドを用いて送信されてもよく、例えば、視聴要求を行った視聴要求者１の情報や、コンテンツの名前や種類、視聴料金等のコンテンツに関する情報、視聴承認要求を送信したコンテンツ視聴端末に関する情報等を含んで送信されてもよい。
【００６４】
視聴承認要求受付部１２１は、コンテンツ視聴装置１００から視聴承認要求を受信すると、図３に示すような画面を表示部１２５に表示させる。このような画面において、視聴承認者２は、入力部１２６から「許可」または「拒否」を選択することにより、コンテンツ視聴の可否をコンテンツ視聴装置１００に応答したり、あるいは「テレビ電話」を選択してコンテンツ視聴装置１００に対して電話を掛けることができる。
【００６５】
（承認結果通知部１２２）
承認結果通知部１２２は、視聴承認要求受付部１２１によって受信された視聴承認要求に対し、視聴承認者２が応答した内容をコンテンツ視聴装置１００に対して通知するための機能部である。
【００６６】
承認結果通知部１２２は、視聴承認要求に対応して表示部１２５に表示された通知画面（図３）を見た視聴承認者２による応答を入力部１２６から受け取ってコンテンツ視聴装置１００に通知する。例えば、図３に示すような通知画面の場合、視聴承認者２は、「許可」、「拒否」または「テレビ電話」のうちいずれかを選択する入力信号を入力部１２６を通じて入力することができる。上記のうち「許可」または「拒否」が選択された場合、承認結果通知部１２２に選択された値が入力され、承認結果通知部１２２は、入力された内容をＩＮＦＯメッセージ等を用いてコンテンツ視聴装置１００に通知する。
【００６７】
（承認者状態通知部１２３）
承認者状態通知部１２３は、コンテンツ視聴装置１００に対し、視聴承認装置１２０を携帯する視聴承認者２の現在の状態（承認者状態）を通知するための機能部である。承認者状態は、上述したように、現在、視聴承認者２が視聴承認装置１２０を用いて視聴承認処理を行う必要があるか否かの状態をいい、具体的には、例えば、視聴承認者２がコンテンツ視聴装置１００のある自宅内にいる場合等を指す。
【００６８】
承認者状態通知部１２３は、基地局１４またはＧＰＳ衛星１６から自分の位置に関する情報（現在位置の緯度・経度等）を取得し、承認が不要と判断される範囲内であるか否かを判定する。その後、承認者状態通知部１２３は、登録されたコンテンツ視聴装置１００に対し、ＮＯＴＩＦＹメソッド等を用いて判定結果を通知する。
【００６９】
あるいは、承認者状態通知部１２３は、基地局１４やＧＰＳ衛星１６から受け取った位置情報をそのままコンテンツ視聴装置１００に送信するようにしてもよい。この場合、視聴承認が必要か否かは、コンテンツ視聴装置１００側で判断される。
【００７０】
（電話制御部１２４）
電話制御部１２４は、コンテンツ視聴装置１００と視聴承認装置１２０との間で電話による通信を行うための制御を行う機能部である。電話制御部１２４は、入力部１２６からコンテンツ視聴装置１００に対して電話を掛けることを指示する入力があった場合に、コンテンツ視聴装置１００に対して呼び出し要求メッセージ（ＩＮＶＩＴＥメソッド）を送信する。その後、呼び出しに成功したか否かが通知され、呼び出しに成功した場合は、コンテンツ視聴装置１００と視聴承認装置１２０との間でセッションが確立されて通話を開始することが可能となる。
【００７１】
（表示部１２５）
表示部１２５は、ディスプレイ等の出力装置であり、コンテンツ視聴装置１００から視聴承認要求を受信したことを通知するためのメッセージ（図３）等が表示される。
【００７２】
（入力部１２６）
入力部１２６は、視聴承認装置１２０に備えられたボタンやスイッチ、マウス、キーボード、リモートコントローラ等の入力インタフェースが操作されたことを示す入力信号が入力される機能部である。入力部１２６は、入力された入力信号を承認結果通知部１２２や電話制御部１２４に入力する。
【００７３】
以上、本実施形態にかかる視聴承認装置１２０の構成について説明した。なお、視聴承認要求受付部１２１、承認結果通知部１２２、承認者状態通知部１２３及び電話制御部１２４は、これらの各部の機能を実行するソフトウェアプログラムを視聴承認装置１２０にインストールすることにより実現することも可能であるし、専用のハードウェアで実現することも可能である。また、上記ソフトウェアプログラムは、コンピュータ読み取り可能な記憶媒体に記憶されたものを読み出すことにより実行されてもよいし、あるいは、ネットワーク等を介して視聴承認装置１２０に提供されるものであってもよい。
【００７４】
（ロケーションサーバ１４０）
ロケーションサーバ１４０は、コンテンツ視聴装置１００及び視聴承認装置１２０の情報を管理し、コンテンツ視聴装置１００と視聴承認装置１２０との間で通信を中継するためのサーバである。ロケーションサーバ１４０は、例えば、コンテンツ視聴装置１００から視聴承認装置１２０に対しデータが送信された場合に、送信データのヘッダに含まれる送信先アドレスをキーとして視聴承認装置１２０のネットワーク上の位置（ＩＰアドレス）を求め、送信データを視聴承認装置１２０に転送する。視聴承認装置１２０からコンテンツ視聴装置１００に対するデータ送信の場合も同様である。
【００７５】
このように、ロケーションサーバ１４０を介することによって、コンテンツ視聴装置１００は、移動する視聴承認装置１２０とネットワーク上の位置を求めて通信を行うことが可能となる。
【００７６】
以上、本実施形態にかかるコンテンツ視聴システム１０の構成について説明した。
【００７７】
次に、図４を参照して、本実施形態に係るコンテンツ視聴システム１０において実行される処理の流れについて説明する。図４は、コンテンツ視聴システム１０において実行される視聴承認処理の流れの一例を示すシーケンス図である。
【００７８】
図４のステップＳ３００〜Ｓ３０６は、視聴承認装置１２０がコンテンツ視聴装置１００からの視聴承認要求を受けるための事前登録処理を示している。
【００７９】
まず、ステップＳ３００で、視聴承認装置１２０の視聴承認要求受付部１２１は、コンテンツ視聴装置１００から視聴要求を受信するためにＳＵＢＳＣＲＩＢＥメソッドを送信して自分の情報を登録する。ＳＵＢＳＣＲＩＢＥメソッドは、まずロケーションサーバ１４０に送信され、ステップＳ３０２でロケーションサーバ１４０からコンテンツ視聴装置１００に転送される。
【００８０】
次いで、ステップＳ３０４で、コンテンツ視聴装置１００は、ＳＵＢＳＣＲＩＢＥメソッドを送信した視聴承認装置１２０に対してＮＯＴＩＦＹメソッドを送信し、現在の状態を通知する。このときもステップＳ３００、３０２と同様に、ＮＯＴＩＦＹメソッドはまずロケーションサーバ１４０に送信され、ステップ３０６でロケーションサーバ１４０から視聴承認装置１２０に転送される。
【００８１】
上記処理によって、視聴承認装置１２０のコンテンツ視聴装置１００への事前登録処理は終了し、視聴承認装置１２０は、コンテンツ視聴装置１００から視聴承認要求を受け取ることができるようになる。
【００８２】
その後、ステップＳ３０８で、コンテンツ視聴装置１００において、あるコンテンツに対する視聴要求が発生し、コンテンツ視聴装置１００のコンテンツ視聴制御部１０１において、視聴承認要求が発行される。視聴承認要求部１０２は、ステップＳ３１０で、視聴承認装置１２０に対しＮＯＴＩＦＹメソッドを送信することにより視聴承認要求を行う。視聴承認要求は、例えば、視聴要求を行った視聴要求者のＩＤ、視聴要求対象のコンテンツやコンテンツの属性情報等を含んでもよい。ステップＳ３１２で、ＮＯＴＩＦＹメソッドはロケーションサーバ１４０を介して視聴承認装置１２０に送信される。
【００８３】
コンテンツ視聴装置１００からの視聴承認要求を受信した視聴承認要求受付部１２１は、ステップＳ３１４で、視聴承認者２に視聴要求が発生したことを示すメッセージを表示する。メッセージは、例えば図３に示すように、視聴要求を行った人の名前や視聴対象となるコンテンツの名称、視聴料金等が含んでもよい。
【００８４】
次いで、ステップＳ３１６で、視聴承認装置１２０の承認結果通知部１２２に視聴承認要求に対する承認結果が入力される。ここでは、図３に示すメッセージにおいて「許可」が選択され、入力部１２６を通じて視聴可否通知部に入力されたものとする。承認結果通知部１２２は、ステップＳ３１８〜３２０で、コンテンツ視聴装置１００に視聴が許可されたことを示すＩＮＦＯメソッドを、ロケーションサーバ１４０を介して送信する。
【００８５】
次いでステップＳ３２２で、視聴承認要求部１０２は、受信したＩＮＦＯメソッドから視聴要求が許可されたことを判断し、コンテンツ提供サーバ１８に対してコンテンツ要求を行う。
【００８６】
コンテンツ提供サーバ１８は、コンテンツ視聴装置１００からのコンテンツ要求に応答して、ステップＳ３２４でコンテンツを送信する。コンテンツ提供サーバ１８からコンテンツを受信したコンテンツ視聴装置１００は、ステップＳ３２６で、受信したコンテンツを再生した映像等を表示部１０６に表示させる。
【００８７】
このように、コンテンツ視聴装置１００は、視聴要求者１がコンテンツに対する視聴要求を行う毎に、視聴承認装置１２０に対して視聴承認要求を送信し、視聴承認装置１２０を携帯している視聴承認者２が視聴の可否を判断することが可能となる。従って、コンテンツを視聴する視聴要求者１やコンテンツの属性によって自動的に視聴可否を判断する場合と比較して、より適切にペアレンタルコントロールを行うことが可能となる。
【００８８】
次に、図５を参照して、本実施形態に係るコンテンツ視聴システム１０において実行される処理の他の例について説明する。図５は、コンテンツ視聴システム１０において実行される視聴承認処理の流れの他の例を示すシーケンス図である。
【００８９】
図５の例は、コンテンツ視聴装置１００は、視聴承認要求を行う前に、視聴承認装置１２０から取得した承認者状態によって視聴承認要求を行うか否かを判断する点が図４の例と異なる。
【００９０】
図５のステップＳ３３０〜Ｓ３３６は、コンテンツ視聴装置１００が視聴承認装置１２０から承認者状態の通知を受けるための事前登録処理を示している。
【００９１】
まず、ステップＳ３３０で、コンテンツ視聴装置１００の承認者状態取得部１０３は、視聴承認装置１２０から承認者状態の通知を受けるためにＳＵＢＳＣＲＩＢＥメソッドを送信して自分の情報を登録する。送信されたＳＵＢＳＣＲＩＢＥメソッドは、ステップＳ３４２でロケーションサーバ１４０によって視聴承認装置１２０に転送される。
【００９２】
次いで、ステップＳ３３４で、視聴承認装置１２０の承認者状態通知部１２３は、登録を受け付けたコンテンツ視聴装置１００に対して、視聴承認装置１２０の位置情報または承認者状態を通知する。承認者状態通知部１２３は、基地局１４またはＧＰＳ衛星１６に問い合わせを行って自分の位置情報（現在位置の緯度・経度等）を取得し、ＮＯＴＩＦＹメソッドを用いてコンテンツ視聴装置１００に通知する。ＮＯＴＩＦＹメソッドは、ステップＳ３３６で、ロケーションサーバ１４０によってコンテンツ視聴装置１００に転送される。
【００９３】
上記処理によって、コンテンツ視聴装置１００は、視聴承認装置１２０から承認者状態の情報を受け取ることができるようになる。
【００９４】
その後、ステップＳ３３８で、視聴承認装置１２０を携帯している視聴承認者２が移動し、コンテンツ視聴装置１００のある自宅に帰宅したと仮定する。視聴承認装置１２０の承認者状態通知部１２３は、基地局１４またはＧＰＳ衛星１６から自分の現在位置に関する情報を受信し、現在位置から自宅内と判断される範囲にあるか否かを判定する。
【００９５】
ここで、承認者状態通知部１２３は、視聴承認者２が自宅内にいると判断すると、ステップＳ３４０で、コンテンツ視聴装置１００にその旨を通知するＮＯＴＩＦＹメソッドを送信する。ＮＯＴＩＦＹメソッドは、ステップＳ３４２でロケーションサーバ１４０によってコンテンツ視聴装置１００に送信される。
【００９６】
その後、ステップＳ３４４で、コンテンツ視聴装置１００において視聴要求が発生したとする。続くステップＳ３４６で、コンテンツ視聴装置１００の視聴承認要求部１０２は、承認者状態取得部１０３から承認者状態を取得する。あるいは、視聴承認要求部１０２は、承認者状態取得部１０３から予め承認者状態を通知されていてもよい。視聴承認要求部１０２は、ステップＳ３４８で、承認者状態取得部１０３から取得した承認者状態の情報によって、視聴承認者２が自宅内にいるため視聴承認要求を発行する必要がないと判断する。
【００９７】
従って、視聴承認要求部１０２は、視聴承認装置１２０に視聴承認要求を送信することなく、ステップＳ３５０でコンテンツ提供サーバ１８に対してコンテンツを要求する。ステップＳ３５２で、コンテンツ提供サーバ１８は、コンテンツ視聴装置１００に対してコンテンツを送信し、ステップＳ３５４でコンテンツ視聴装置１００はコンテンツを表示部１０６に表示することができる。
【００９８】
このように、視聴承認装置１２０がコンテンツ視聴装置１００の近くにあるとき、即ち視聴承認者２がコンテンツ視聴装置１００の近くにいるときにコンテンツ視聴要求が行われた場合、視聴承認要求が視聴承認装置１２０に送信されないようにすることによって、視聴承認者２にとって面倒な作業が発生しないようにすることができる。
【００９９】
以上、本発明の第１の実施形態に係るコンテンツ視聴システム１０について説明した。
【０１００】
（第２の実施形態）
次に、図６を参照して、本発明の第２の実施形態にかかるコンテンツ視聴システムについて説明する。図６は、本発明の第２の実施形態にかかるコンテンツ視聴システム２０の概略構成を示すブロック図である。
【０１０１】
上述した第１の実施形態では、主にコンテンツ視聴端末と視聴承認端末との間で通信を行うことによりペアレンタルコントロールを行うようにしたが、以下で説明する第２の実施形態にかかるコンテンツ視聴システムにおいては、コンテンツ視聴端末と視聴承認端末との間にコンテンツ視聴のための承認処理を仲介する視聴承認仲介サーバが存在することを特徴とする。
【０１０２】
第２の実施形態に係るコンテンツ視聴システム２０は、図６に示すように、コンテンツ視聴装置２００と、視聴承認装置２２０と、視聴承認仲介サーバ２４０と、コンテンツ提供サーバ２６０と、により構成される。以下、図６を参照して、各装置の構成について説明する。
【０１０３】
（コンテンツ視聴装置２００）
本実施形態に係るコンテンツ視聴装置２００は、上述した第１の実施形態に係るコンテンツ視聴装置１００とほぼ同様の構成を有するが、以下の点が異なる。第１の実施形態においては、コンテンツ視聴制御部１０１がコンテンツの視聴承認を要求するか否かを判断するが、本実施形態では、コンテンツを提供するコンテンツ提供サーバ２６０によって判断され、視聴承認が必要な場合はその旨がコンテンツ提供サーバ２６０からコンテンツ視聴装置２００に通知される。コンテンツ視聴装置２００は、コンテンツ提供サーバ２６０から視聴承認を要求された場合に視聴承認要求を発行する。
【０１０４】
また、コンテンツ視聴装置２００は、視聴承認装置２２０に対して発行する視聴承認要求を、視聴承認仲介サーバ２４０に送信し、承認結果を視聴承認仲介サーバ２４０から受け取る。また、視聴承認が許可された場合のコンテンツ提供サーバ２６０に対する承認結果の通知は、視聴承認仲介サーバ２４０によって行われ、コンテンツ視聴装置２００は視聴承認仲介サーバ２４０から承認結果を受け取った後コンテンツ提供サーバ２６０にアクセスすることが可能となる。これは、コンテンツ提供サーバ２６０からコンテンツをダウンロードして利用する場合でも、コンテンツ視聴装置２００やコンテンツ視聴装置２００に接続された記憶媒体に保存されたコンテンツを利用する場合でも同様である。
【０１０５】
（視聴承認装置２２０）
本実施形態に係る視聴承認装置２２０は、上述した第１の実施形態に係る視聴承認装置１２０とほぼ同様の構成を有する。第１の実施形態との相違点は、視聴承認要求を視聴承認仲介サーバ２４０から受信し、承認結果を視聴承認仲介サーバ２４０に対して送信する点である。以下、第１の実施形態との相違点について説明する。
【０１０６】
第１の実施形態においては、視聴承認要求はＳＩＰのＮＯＴＩＦＹメソッドにより通知されたが、本実施形態では、電子メールやＭＥＳＳＡＧＥメソッドによって視聴承認仲介サーバ２４０から通知される。また、視聴承認処理は、視聴承認仲介サーバ２４０によって提供される視聴承認用のサイトを通じて行われ、視聴承認装置２２０には、視聴承認用サイトのＵＲＬが電子メールやＭＥＳＳＡＧＥに含まれて通知される。視聴承認者２は、ウェブブラウザに表示された視聴承認用サイトから視聴承認処理を行い、承認結果は、ＨＴＴＰまたはＨＴＴＰＳによって視聴承認仲介サーバ２４０に送信される。
【０１０７】
（視聴承認仲介サーバ２４０）
視聴承認仲介サーバ２４０は、コンテンツ視聴装置２００と視聴承認装置２２０との間で視聴承認処理を仲介するサーバである。また、視聴承認仲介サーバ２４０は、視聴承認を行うための視聴承認用のサイトを視聴承認装置２２０に提供する。
【０１０８】
視聴承認仲介サーバ２４０は、コンテンツ視聴装置２００から視聴承認要求を受信したときに、視聴承認装置２２０に対して視聴承認要求を通知する。視聴承認仲介サーバ２４０は、コンテンツ視聴装置２００から通知された対象コンテンツの名前や種類、視聴要求者１のＩＤ等の情報と、視聴承認用のサイトのＵＲＬとを含む電子メールを作成し、視聴承認者２によって予め登録されたメールアドレスに送信するようにしてもよい。あるいは、上記の情報を含むＭＥＳＳＡＧＥメソッドを視聴承認装置２２０に対して送信するようにしてもよい。
【０１０９】
視聴承認要求の送信後、視聴承認用サイトを通じて承認結果が視聴承認装置２２０から視聴承認仲介サーバ２４０に送信されると、視聴承認仲介サーバ２４０は、ＩＮＦＯメソッド等を用いてコンテンツ視聴装置２００に承認結果を送信する。また、承認処理の結果視聴が許可された場合、視聴承認仲介サーバ２４０は、コンテンツ提供サーバ２６０に承認されたコンテンツや視聴要求者１のＩＤ、料金請求対象となるユーザのＩＤ等の情報を通知して、視聴承認が完了したことを通知する。
【０１１０】
（コンテンツ提供サーバ２６０）
コンテンツ提供サーバ２６０は、コンテンツ視聴装置２００に対してコンテンツを提供するサーバである。
【０１１１】
コンテンツ提供サーバ２６０は、コンテンツ視聴装置２００からのコンテンツ要求があった場合に、コンテンツを要求している視聴要求者１のＩＤやコンテンツの属性等から、そのコンテンツを提供するにあたって視聴承認が必要であるか否かを判断する。視聴承認が必要であると判断された場合、コンテンツ提供サーバ２６０は、コンテンツ視聴装置１００に対してその旨を通知する。
【０１１２】
また、視聴承認装置２２０において視聴承認が行われた場合に、視聴対象となるコンテンツや視聴が許可された視聴要求者１のＩＤ、料金請求対象となるユーザのＩＤ等の情報が視聴承認仲介サーバ２４０からコンテンツ提供サーバ２６０に通知される。コンテンツ提供サーバ２６０は、受信した情報に合致する視聴要求がされると、コンテンツ視聴装置２００に対して該当するコンテンツを提供する。視聴要求の対象がコンテンツ視聴装置２００やコンテンツ視聴装置２００に接続された記憶媒体に保存されたコンテンツである場合、コンテンツ視聴装置２００から利用許可要求がコンテンツ視聴装置２００に対してコンテンツの利用許可を与える。
【０１１３】
以上、本実施形態にかかるコンテンツ視聴システム２０の構成について説明した。
【０１１４】
次に、図７を参照して、本実施形態に係るコンテンツ視聴システム２０において実行される処理の流れについて説明する。図７は、コンテンツ視聴システム２０において実行される視聴承認処理の流れの一例を示すシーケンス図で、視聴要求者１が、コンテンツ提供サーバ２６０によって提供されるコンテンツをダウンロードしてコンテンツ視聴装置２００を用いて視聴する場合の処理の流れを示したものである。
【０１１５】
まず、ステップＳ４００で、コンテンツ視聴装置２００は、ＩＮＦＯメソッドを用いてコンテンツ提供サーバ２６０によって提供されるコンテンツの利用要求を行う。コンテンツ提供サーバ２６０は、コンテンツを要求している視聴要求者１のＩＤやコンテンツの属性等から、視聴承認が必要であるか否かを判断し、ステップＳ４０２で、ＩＮＦＯメソッドを用いてコンテンツ視聴装置２００に認証要求を送る。
【０１１６】
コンテンツ視聴装置２００は、視聴承認要求を送るか否かを選択する画面を表示部に表示させ、視聴要求者１によっていずれかを選択させるようにする。視聴要求者１が視聴承認要求を行うことを選択した場合、ステップＳ４０４に示すように、コンテンツ視聴装置２００は、ＩＮＦＯメソッドを用いて視聴承認仲介サーバ２４０に視聴承認要求を送信する。視聴承認要求を行わないことが選択された場合は、処理は終了する。
【０１１７】
ステップＳ４０６で、視聴承認仲介サーバは、受信した視聴承認要求に含まれる対象コンテンツの名前や種類、視聴要求者１のＩＤ等の情報と、視聴承認用のサイトのＵＲＬとを含む電子メールを作成し、視聴承認者２によって予め登録されたメールアドレスに送信するか、あるいは上記の情報を含むＭＥＳＳＡＧＥメソッドを視聴承認装置２２０に対して送信する。
【０１１８】
ステップＳ４０８で、視聴承認装置２２０は、視聴承認仲介サーバ２４０によって送信された電子メールまたはＭＥＳＳＡＧＥを受信し、本文に含まれる視聴承認用のサイトのＵＲＬを抽出してサイトにアクセスする。ステップＳ４１０において、ウェブブラウザ等に表示された視聴承認用サイトから視聴承認者２によって承認結果が入力され、ステップＳ４１２で視聴承認装置２２０から視聴承認仲介サーバ２４０にＨＴＴＰまたはＨＴＴＰＳ等のプロトコルによって送信される。
【０１１９】
視聴承認装置２２０において視聴が許可された場合、視聴承認仲介サーバ２４０は、ステップＳ４１４に示すように、コンテンツ提供サーバ２６０に対して視聴対象となるコンテンツや視聴が許可された視聴要求者１のＩＤ、料金請求対象となるユーザのＩＤ等の情報を送信し、利用認証処理を行う。また、視聴承認仲介サーバ２４０は、ステップＳ４１６で、コンテンツ視聴装置２００に対し承認結果を通知する。ステップＳ４１４とＳ４１６の処理は逆の順序で行われてもよく、同時に行われてもよい。一方、視聴承認装置２２０において視聴が許可されなかった場合は、ステップＳ４１４の処理は行われず、ステップＳ４１６で承認結果がコンテンツ視聴装置２００に通知された後、コンテンツ視聴装置２００において承認結果が表示されて処理は終了する。
【０１２０】
次いで、ステップＳ４１８で、視聴が許可されたことを通知されたコンテンツ視聴装置２００は、ＩＮＦＯメソッドを用いてコンテンツ提供サーバ２６０にコンテンツの利用要求を送信する。コンテンツ提供サーバ２６０は、ステップＳ４１４で視聴承認仲介サーバ２４０から送信された情報によって、そのコンテンツの利用が承認されたことを判断し、ステップＳ４２０でコンテンツ視聴装置２００に対してコンテンツを送信する。コンテンツ視聴装置２００は、ステップＳ４２２でコンテンツ提供サーバ２６０からコンテンツを受信し、再生した映像等を表示部に表示させる。
【０１２１】
次に、図８を参照して、本実施形態に係るコンテンツ視聴システム２０において実行される他の処理の流れについて説明する。図８は、コンテンツ視聴システム２０において実行される他の視聴承認処理の流れの一例を示すシーケンス図で、コンテンツ提供サーバ２６０から取得されてコンテンツ視聴装置２００等に格納されたコンテンツ（ローカルコンテンツ）を視聴する場合の処理の流れを示したものである。
【０１２２】
まず、ステップＳ４３０で、コンテンツ視聴装置２００は、ローカルコンテンツから視聴するコンテンツを選択すると、ステップＳ４３２で、コンテンツ提供サーバ２６０に対してそのコンテンツに対する利用要求が送信される。コンテンツ提供サーバ２６０は、図７のステップＳ４０２と同様に、ステップＳ４３４でそのローカルコンテンツコンテンツに対しＩＮＦＯメソッドを用いて認証要求を送る。ステップＳ４３６で、認証要求はローカルコンテンツからコンテンツ視聴装置２００に送信される。
【０１２３】
ステップＳ４３８〜Ｓ４５０の処理は、上述した図７のステップＳ４０４〜Ｓ４１６と実質的に同様の処理であるので、ここでは説明を省略する。ステップＳ４５２で、視聴承認仲介サーバ２４０は、コンテンツ視聴装置２００に対してコンテンツを利用するための利用解除キー等の情報を通知し、承認が行われたことを通知する。
【０１２４】
コンテンツ視聴装置２００は、ステップＳ４５２で、対象となるローカルコンテンツに対し視聴選択を行い、ステップＳ４５４で、コンテンツ提供サーバ２６０に対して利用解除キーを送信してコンテンツの利用要求を送信する。コンテンツ提供サーバ２６０は、ステップＳ４５８で、送信された解除キーによってそのローカルコンテンツに対する利用許可を行い、ステップＳ４６０で、コンテンツ視聴装置２００は、ローカルコンテンツを再生して再生映像等を表示部に表示させることができる。
【０１２５】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【図面の簡単な説明】
【０１２６】
【図１】第１の実施形態に係るコンテンツ視聴システムの概略構成を示すブロック図である。
【図２】第１の実施形態に係るコンテンツ視聴装置及び視聴承認装置の概略構成を示すブロック図である。
【図３】視聴承認装置の表示部に表示される視聴承認画面の一例を示す図である。
【図４】第１の実施形態に係るコンテンツ視聴システムにおいて実行される処理の流れの一例を示すシーケンス図である。
【図５】第１の実施形態に係るコンテンツ視聴システムにおいて実行される処理の流れの一例を示すシーケンス図である。
【図６】第２の実施形態に係るコンテンツ視聴システムの概略構成を示すブロック図である。
【図７】第２の実施形態に係るコンテンツ視聴システムにおいて実行される処理の流れの一例を示すシーケンス図である。
【図８】第２の実施形態に係るコンテンツ視聴システムにおいて実行される処理の流れの一例を示すシーケンス図である。
【符号の説明】
【０１２７】
１        視聴要求者
２        視聴承認者
１０      コンテンツ視聴システム
１２      次世代ネットワーク（ＮＧＮ）
１４      基地局
１６      ＧＰＳ衛星
１８      コンテンツ提供サーバ
１００    コンテンツ視聴装置
１０１    コンテンツ視聴制御部
１０２    視聴承認要求部
１０３    承認者状態取得部
１０４    電話制御部
１０５    入力部
１０６    表示部
１２０    視聴承認装置
１２１    視聴承認要求受付部
１２２    承認結果通知部
１２３    承認者状態通知部
１２４    電話制御部
１２５    表示部
１２６    入力部
１４０    ロケーションサーバ
２０      コンテンツ視聴システム
２００    コンテンツ視聴装置
２２０    視聴承認装置
２４０    視聴承認仲介サーバ
２６０    コンテンツ提供サーバ
【図１】
0004416013.tif 000002
【図２】
0004416013.tif 000003
【図３】
0004416013.tif 000004
【図４】
0004416013.tif 000005
【図５】
0004416013.tif 000006
【図６】
0004416013.tif 000007
【図７】
0004416013.tif 000008
【図８】
0004416013.tif 000009